(57)【要約】【課題】ディスプレイ回動装置を提供する。【解決手段】本発明のディスプレイ回動装置は、固定体１１と、固定体に、一端が第１ヒンジ部材１５ａを介在して結合する第１アーム１２と、第１アームの他端に、一端が第２ヒンジ部材１５ｂを介在し結合する第２アーム１３と、第２アームに結合する移動体１４と、第１ヒンジ部材に結合する第１モータ部１６ａと、第２ヒンジ部材に結合する第２モータ部１６ｂとを含む。【選択図】図１
2008022553.tif 000002
【特許請求の範囲】
【請求項１】
固定体と、
前記固定体に一端が第１ヒンジ部材を介在して結合する第１アームと、
前記第１アームの他端に一端が第２ヒンジ部材を介在して結合する第２アームと、
前記第２アームに結合する移動体と、
前記第１ヒンジ部材に結合する第１モータ部と、
前記第２ヒンジ部材に結合する第２モータ部と、
を含むディスプレイ回動装置。
【請求項２】
前記移動体と前記第２アームとの間には第３ヒンジ部材を介在して結合し、
前記第３ヒンジ部材には、第３モータ部が結合することを特徴とする請求項１に記載のディスプレイ回動装置。
【請求項３】
前記移動体と前記第２アームとの間には、弾性部材が結合して前記移動体の重力モーメントを相殺する請求項１に記載のディスプレイ回動装置。
【請求項４】
前記移動体には、距離感知センサが取り付けられていることを特徴とする請求項１に記載のディスプレイ回動装置。
【請求項５】
前記モータ部は、
モータの回転により回転力を発生させる動力部と、
前記回転力を外部に伝達する回転部と、を含み、
前記回転部は、
前記モータの回転力が直接に伝達される駆動軸と、
前記駆動軸と連動して回転する被動軸と、
前記駆動軸と前記被動軸との間に介在されたクラッチ部と、
を含むことを特徴とする請求項１に記載のディスプレイ回動装置。
【発明の詳細な説明】
【技術分野】
【０００１】
本発明は、ディスプレイ回動装置に関する。
【背景技術】
【０００２】
ＬＣＤ、ＰＤＰ、ＬＥＤなどが適用されたＴＶやモニタのような平板型ディスプレイは、狭い空間を効率的に使用できるという長所があり、ブラウン管ＴＶやモニタに代わって台頭してきていて、今後ともその需要は益々増加傾向にある。特に平板型ＬＣＤやＰＤＰ  ＴＶは例えば‘壁掛け型ＴＶ’と称し、壁面に装着固定した形態で使用されている。このように装着固定した形態で壁掛け型ＴＶを視聴する場合には、ＴＶの正面から画面を最も広く見ることができる。
【０００３】
ところで、ＴＶが壁面に固定されている場合には、ＴＶ画面を最も広く見ることができる位置も固定されることになるので、視聴者が位置を変更するに伴って視聴が困難になる場合もある。従来の壁掛け型ＴＶは、壁体との隔離距離がほとんどなかったり、狭くてＴＶの位置や向きを変更しにくいし、別途の部材を結合してＴＶを壁面から離隔させるとしても、ＴＶ本体を任意の方向に回転させることができないという問題がある。また、このような問題を解決するために一定の隔離距離を維持する装置を使用すると、壁面に装着して美麗な外観で、室内空間を広く使用できるという壁掛け型ＴＶの長所が活かされなくなる問題がある。
【発明の開示】
【発明が解決しようとする課題】
【０００４】
本発明は、室内空間を効率的に活用できる壁掛け型ＴＶのようなディスプレイの長所を活かしながら、視聴者の位置が変化しても最大限の視聴角を確保することができるディスプレイ回動装置を提供する。
【課題を解決するための手段】
【０００５】
本発明の一実施形態によれば、固定体と、固定体に一端が第１ヒンジ部材を介在し結合する第１アームと、第１アームの他端に一端が第２ヒンジ部材を介在して結合する第２アームと、第２アームに結合する移動体と、第１ヒンジ部材に結合する第１モータ部と、第２ヒンジ部材に結合する第２モータ部とを含むディスプレイ回動装置が提供される。
【０００６】
一方、移動体と上記第２アームとの間には、第３ヒンジ部材を介在して結合することもでき、この際、上記第３ヒンジ部材には第３モータ部が結合されることができる。これにより、第３ヒンジ部材を中心として移動体が回動できる。
【０００７】
また、上記移動体と上記第２アームとの間には弾性部材が結合されていて、移動体の重力モーメントを相殺することができる。重力モーメントが相殺されない場合、モータ部に過負荷が発生する。
【０００８】
また、移動体には距離感知センサが取り付けられてもよい。距離感知センサは、移動体と固定体との距離を感知して、移動体に付着されたディスプレイが固定体と衝突することを防止することができる。このような距離感知センサには制御部が結合されており、制御部はモータ部と電気的に連結されている。
【０００９】
また、モータ部は、モータの回転により回転力を発生させる動力部と、回転力を外部に伝達する回転部とを含み、上記回転部は、モータの回転力が直接的に伝達される駆動軸と、駆動軸と連動して回転する被動軸と、駆動軸と被動軸との間に介在されたクラッチ部と、を含むことができる。クラッチ部の摩擦力は、モータのコギングトルクより小さいため、外部から強制的にディスプレイ回動装置を動かす場合スリップが起きてモータの強制回転を防止する。
【発明の効果】
【００１０】
本発明の好ましい実施例によるディスプレイ回動装置は、ディスプレイを固定体から離隔させることができるので、ディスプレイの回転角を確保することができ、このような離隔及び回転動作を自動及び手動（マニュアル）で行うことができるので利便性が増大され、手動で動作する場合にもモータに無理を与えないので装置の耐久性が増加されることができる。
【発明を実施するための最良の形態】
【００１１】
以下、添付された図面を参照して本発明による好ましいディスプレイ回動装置（Ｒｏｔａｔｉｏｎ  ａｐｐａｒａｔｕｓ  ｏｆ  ｄｉｓｐｌａｙ）の実施例に対してより詳細に説明するが、添付図面を参照して説明するにあたって、図面符号にかかわらず同一であるか対応する構成要素は同一の参照番号を付与し、これに対する重複される説明は省略する。
【００１２】
図１は、本発明の好ましい第１実施例によるディスプレイ回動装置の斜視図であり、図２は、本発明の好ましい第１実施例によるディスプレイ回動装置の後面斜視図である。
【００１３】
図１及び図２を参照すると、ディスプレイ回動装置１０、固定体１１、第１アーム１２、第２アーム１３、移動体１４、第１ヒンジ部材１５ａ、第２ヒンジ部材１５ｂ、第３ヒンジ部材１５ｃ、第１モータ部１６ａ、第２モータ部１６ｂ、第３モータ部１６ｃ、ディスプレイ１７、弾性部材１８、距離感知センサ１９が示されている。
【００１４】
本実施例のディスプレイ回動装置１０は、二つからなっている第１アーム１２及び第２アーム１３が、固定体１１とＺ字型で結合されることを特徴とする。固定体１１と第１アーム１２及び第１アーム１２と第２アーム１３とは、それぞれ第１ヒンジ部材１５ａ及び第２ヒンジ部材１５ｂを介在して結合する。また、第２アーム１３は、移動体１７に第３ヒンジ部材１５ｃを介在して結合される。
【００１５】
また、上記移動体と上記第２アームとの間に弾性部材１８を結合しておくことによって、移動体の重力モーメントを相殺し、モータ部への過負荷の波及を抑制することができる。
【００１６】
一方、第１ヒンジ部材１５ａ及び第２ヒンジ部材１５ｂの回動軸は互いにほぼ平行であり、第３ヒンジ部材１５ｃの回動軸は上記第１ヒンジ部材１５ａ及び第２ヒンジ部材１５ｂの回動軸に対してほぼ垂直或いは直角である。そのために、第１ヒンジ部材１５ａ及び第２ヒンジ部材１５ｂを中心として第１アーム１２及び第２アーム１３が回動する場合、移動体１４を固定体１１から例えば前後方向に伸長及び収縮することができ、また左右に回動することもできる。第１及び第２アーム１２、１３は互いにつづら折り形態となり、収縮の際は、薄く折りたたまれた状態とすることができる。また、第３ヒンジ部材１５ｃを中心として移動体１４を上下に或いは前傾／後傾の形態に回動させることができる。
【００１７】
第１モータ部１６ａ及び第２モータ部１６ｂは、第１アーム１２及び第２アーム１３に動力を供給して、移動体１４を左右に回動させる。一方、第３モータ部１６ｃは移動体１４を中心としてディスプレイ１７を上下に回動させる。このような第１ないし第３モータ部（１６ａ、１６ｂ、１６ｃ）によりディスプレイ１７は固定体１１から離隔されることができ、また上下及び左右方向に自由に回動することができる。
【００１８】
前記弾性部材１８は、移動体１４と第２アーム１３との間に結合される。弾性部材１８が結合されてないと、移動体１４はその重力により第３ヒンジ部材１５ｃを軸として回転してしまうことになる。その結果、移動体１４に結合されたディスプレイ１７は正面を向かなくなることがある。
【００１９】
従って、前記弾性部材１８は、移動体１４に重力と反対の方向への弾性力を与えて移動体１４に結合されたディスプレイが正面を向くことができるように作用させることができる。その上で、第３モータ部１６ｃは、視聴者が所望する角度に移動体１４を第３ヒンジ部材１５ｃを中心として回転させることができる。
【００２０】
このような第１ないし第３モータ部（１６ａ、１６ｂ、１６ｃ）は、制御部（図示せず）により制御されて、視聴者が所望する位置にディスプレイ１７を回動させる。
【００２１】
また、図１のディスプレイ１７には距離感知センサ１９が装着されている。距離感知センサ１９は、ディスプレイ１７と固定体１１、またはディスプレイ１７と壁面との距離をリアルタイムで感知して制御部に伝達し、制御部はモータ部を制御してディスプレイ１７が壁面と衝突することを防止する。一方、距離感知センサ１９は移動体１４に取り付けられてもよい。
【００２２】
一方、ディスプレイ回動装置１０は自動で回動することもできるが、手動（マニュアル）でも回動させることができる。この場合、第１ないし第３ヒンジ部材（１５ａ、１５ｂ、１５ｃ）に取り付けられた第１ないし第３モータ部（１６ａ、１６ｂ、１６ｃ）のモータは、強制的に回転することになりモータ内部の回転子が損傷する虞がある。さらに、このようなモータの強制回転は騷音を発生させることもある。このようなディスプレイ回動装置１０の手動動作に対応するための第１ないし第３モータ部（１６ａ、１６ｂ、１６ｃ）の構造は次の通りである。
【００２３】
図３は、本発明の好ましい第２実施例による第１モータ部の側面図であり、図４は本発明の好ましい第２実施例による第１モータ部の回転部の断面図である。図３及び図４を参照すると、第１モータ部１６ａ、動力部２１、回転部２２、クラッチ部２２２ａ、駆動軸２２２、被動軸２２１が示されている。図３は第１ヒンジ部材１５ａに結合された第１モータ部１６ａを示しているが、第２ヒンジ部材１５ｂに結合される第２モータ部１６ｂと、第３ヒンジ部材１５ｃに結合される第３モータ部１６ｃも同様に構成される。
【００２４】
図３に示すように第１モータ部１６ａは、動力部２１と回転部２２とを含む。動力部２１はモータを含み、回転部２２はモータの動力を外部に伝達する役目をする軸である。図３の動力部２１と回転部２２は、図１に示された第１ヒンジ部材１５ａでそれぞれ固定体１１と第１アーム１２とに結合される。結果的に、第１モータ部１６ａが駆動する場合、図１の第１アーム１２は伸長されたり収縮される運動をする。
【００２５】
一方、図４に示すように回転部２２は、モータの回転軸と直接連結された駆動軸２２２と、駆動軸２２２に結合されたクラッチ部２２２ａと、クラッチ部２２２ａと密着される場合に動力の伝達を受けることができる被動軸２２１とを含む。クラッチ部２２２ａは摩擦力を調節する部分であって、図４のように駆動軸２２２と一体に結合されるかまたは分離結合されてもよい。本実施例では、駆動軸２２２にクラッチ部２２２ａが結合されたが、被動軸２２１に結合されてもよい。クラッチ部２２２ａと被動軸２２１との間にはワッシャ２２２ｂが介在されて、一定の摩擦力を維持する。
【００２６】
回転部２２の作動方法を説明すれば、モータの駆動力により駆動軸２２２が回転する場合、駆動力はクラッチ部２２２ａの摩擦力より小さいのでクラッチ部２２２ａと被動軸２２１はスリップ（ｓｌｉｐ）しない。しかし、外部から強制的に被動軸２２１を回転させる場合には、クラッチ部２２２ａの摩擦力がモータのコギング（ｃｏｇｇｉｎｇ）トルクより小さいのでスリップ（ｓｌｉｐ）する。
【００２７】
ここで、コギングトルクとは、停止されたモータを外部から強制的に回転させる場合に必要となる力を意味する。このように、クラッチ部２２２ａの摩擦力がモータのコギングトルクより小さければ、外力によるモータの強制回転に応ずる損傷を防止できるようになる。このような摩擦力を調節するために、ワッシャ２２２ｂがクラッチ部２２２ａと被動軸２２１との間に介在されてもよい。
【００２８】
図５は、本発明の好ましい第３実施例によるディスプレイ回動装置の斜視図である。図５を参照すると、ディスプレイ回動装置５０、固定体５１、第１アーム５２、第２アーム５３、移動体５４、第１ヒンジ部材５５ａ、第２ヒンジ部材５５ｂ、第３ヒンジ部材５５ｃ、第１モータ部５６ａ、第２モータ部５６ｂ、第３モータ部５６ｃ、ディスプレイ５７が示されている。
【００２９】
本実施例のディスプレイ回動装置５０は、第１アーム５２が第１リンク部材５２ａ及び第２リンク部材５２ｂの二つを含み、これらは、それぞれ一端に第１ヒンジ部材５５ａを介在して固定体５１に連結されている。ディスプレイ５７の重力モーメントは、第１ヒンジ部材５５ａにて最も大きい。よって、ディスプレイ回動装置５０の信頼性が保障されるためには、第１アーム５２と、これを支持する第１ヒンジ部材５５ａの強度が確保されなくてはならない。本実施例の場合、第１ヒンジ部材５５ａを大きく形成することにより強度を確保した。一方、第１リンク部材５２ａと第２リンク部材５２ｂのそれぞれの他端は、第２アーム５３に第２ヒンジ部材５５ｂを介在して結合されている。また、第１リンク部材５２ａと第２リンク部材５２ｂとの間には所定の空間が存在する。この空間は、第２アーム５３が収縮する際に介在または収納される空間である。よって、ディスプレイの収縮の際に、ディスプレイ回動装置５０は最小体積を有することになる。
【００３０】
上記では、本発明の好ましい実施例に対して説明したが、当該技術分野において通常の知識を持った者であれば、特許請求の範囲に記載された本発明の思想及び領域から脱しない範囲内で、本発明を多様に修正及び変更させることができることを分かるだろう。
【図面の簡単な説明】
【００３１】
【図１】本発明の好ましい第１実施例によるディスプレイ回動装置の側面斜視図である。
【図２】本発明の好ましい第１実施例によるディスプレイ回動装置の後面斜視図である。
【図３】本発明の好ましい第２実施例による第１モータ部の側面図である。
【図４】本発明の好ましい第２実施例による第１モータ部の回転部の断面図である。
【図５】本発明の好ましい第３実施例によるディスプレイ回動装置の斜視図である。
【符号の説明】
【００３２】
１０    ディスプレイ回動装置
１      固定体
１２    第１アーム
１３    第２アーム
１４    移動体
１５ａ  第１ヒンジ部材
１５ｂ  第２ヒンジ部材
１５ｃ  第３ヒンジ部材
１６ａ  第１モータ部
１６ｂ  第２モータ部
１６ｃ  第３モータ部
１７    ディスプレイ
１８    弾性部材
１９    距離感知センサ
【図３】
2008022553.tif 000003
【図４】
2008022553.tif 000004
【図１】
2008022553.tif 000005
【図２】
2008022553.tif 000006
【図５】
2008022553.tif 000007